(57)【要約】  ２つ以上の記憶層（２Ａ、２Ｂ）を有する複数層光記憶媒体（２）、特にＤＶＤディスクやＢＤディスクである複数層記録可能及び再書き込み可能光ディスクの記憶層（２Ａ、２Ｂ）に情報を書き込む方法である。該方法は、光書き込みビーム（３２ｂ）のフォーカス状態を監視するステップと、軸方向にフォーカスがずれるイベントの場合に書き込みプロセスを抑制するステップと、を有する。また、複数層光記憶媒体（２）の記憶層（２Ａ、２Ｂ）に情報を書き込むことができる媒体アクセス装置（１０）も記載されている。該媒体アクセス装置（１０）は、書き込み光ビーム（３２）を発生する光ビーム発生手段（３１）と、目標記憶層（２Ａ）の焦点スポット（Ｆ）に前記書き込み光ビーム（３２）をフォーカスするフォーカス手段（３４）と、軸方向のフォーカスがずれるイベントが発生した場合に書き込みプロセスを抑制する書き込み抑制手段（６４）と、を有する。
2007531198.tif 000002
【特許請求の範囲】
【請求項１】
２つ以上の記憶層を有する複数層光記憶媒体の記憶層に情報を書き込む方法であって、
光書き込みビームのフォーカス状態を監視する段階と、
軸方向のフォーカスがずれるイベントが発生した場合に書き込みプロセスを抑制する段階と、を有することを特徴とする方法。
【請求項２】
２つ以上の記憶層を有する複数層光記憶媒体の記憶層に情報を書き込むことができる媒体アクセス装置であって、
書き込み光ビームを発生する光ビーム発生手段と、
目標記憶層の焦点スポットに前記書き込み光ビームをフォーカスするフォーカス手段と、
軸方向のフォーカスがずれるイベントが発生した場合に書き込みプロセスを抑制する書き込み抑制手段と、を有することを特徴とする媒体アクセス装置。
【請求項３】
請求項２に記載の媒体アクセス装置であって、
書き込むべきデータを表すデータ信号により前記光ビーム発生手段を駆動する、制御入力を有するドライバ回路をさらに有し、
前記書き込み抑制手段は、前記ドライバ回路の前記制御入力に結合された出力を有し、
軸方向のフォーカスがずれるイベントが発生した場合に前記ドライバ回路を効果的に抑制するように、前記ドライバ回路のためのコマンド信号を発生するように設計されていることを特徴とする媒体アクセス装置。
【請求項４】
請求項２に記載の媒体アクセス装置であって、
前記書き込み抑制手段は軸方向のフォーカスがずれたことを示すことができる少なくとも１つの入力信号を受ける少なくとも１つの入力を有し、
その入力信号の少なくとも１つを監視して、その入力信号の少なくとも１つが軸方向のフォーカスがずれるイベントの発生を示したとき、書き込みプロセスを抑制するように設計されていることを特徴とする媒体アクセス装置。
【請求項５】
請求項２に記載の媒体アクセス装置であって、
前記書き込み抑制手段は軸方向のフォーカスがずれたことを示すことができる少なくとも１つの入力信号を受ける少なくとも１つの入力を有し、
その入力信号の少なくとも２つを監視して、その入力信号の少なくとも２つが軸方向のフォーカスがずれるイベントの発生を、相関をもって示したとき、書き込みプロセスを抑制するように設計されていることを特徴とする媒体アクセス装置。
【請求項６】
請求項２に記載の媒体アクセス装置であって、
前記書き込み抑制手段は軸方向のフォーカスがずれたことを示すことができる少なくとも１つの入力信号を受ける少なくとも１つの入力を有し、
入力信号を監視して、前記入力信号から軸方向のフォーカスのずれを計算し、計算した軸方向のフォーカスのずれが所定のずれ閾値より大きいときは前記入力信号が軸方向のフォーカスがずれるイベントを示すものと決定するように設計されていることを特徴とする媒体アクセス装置。
【請求項７】
請求項２に記載の媒体アクセス装置であって、
前記書き込み抑制手段は軸方向のフォーカスがずれたことを示すことができる少なくとも１つの入力信号を受ける少なくとも１つの入力を有し、
入力信号を監視し、前記入力信号の所定の特徴（characteristic feature）の発生を監視し、その特徴が発生したときは前記入力信号が軸方向のフォーカスがずれるイベントを示すと決定するように設計されていることを特徴とする媒体アクセス装置。
【請求項８】
請求項２に記載の媒体アクセス装置であって、
前記書き込み抑制手段は軸方向のフォーカスがずれたことを示すことができる少なくとも１つの入力信号を受ける少なくとも１つの入力を有し、
その入力信号の少なくとも１つを監視して、前記その入力信号の少なくとも１つが変化する速さ（１次またはそれ以上の時間微分）を決定し、その変化の評価に基づいて前記入力信号が軸方向のフォーカスがずれるイベントが起ころうとしていることを示すと決定するように設計されていることを特徴とする媒体アクセス装置。
【請求項９】
請求項８に記載の媒体アクセス装置であって、
前記書き込み抑制手段は、前記その入力信号の少なくとも１つの時間微分が軸方向のフォーカスがずれるイベントを予測しているとき、すなわち前記軸方向のフォーカスがずれるイベントが実際に発生する前であっても、書き込みプロセスを抑制するように設計されていること特徴とする媒体アクセス装置。
【請求項１０】
請求項４に記載の媒体アクセス装置であって、
少なくとも１つの振動／加速度センサをさらに有し、
前記書き込み抑制手段は前記少なくとも１つの振動／加速度センサからの少なくとも出力信号を監視するように設計されていることを特徴とする媒体アクセス装置。
【請求項１１】
請求項４に記載の媒体アクセス装置であって、
前記記憶媒体により反射された光を受ける少なくとも１つの光検出器をさらに有し、
前記書き込み抑制手段は少なくとも１つの検出器出力信号から求めた少なくとも１つの信号を監視するように設計されていることを特徴とする媒体アクセス装置。
【請求項１２】
請求項１１に記載の媒体アクセス装置であって、
前記書き込み抑制手段は、前記センサのフォワードセンスダイオードから求めた反射中心開口信号に対応する少なくとも信号を監視するか、またはフォーカスエラー信号に対応する少なくとも信号を監視するか、または所定の時定数で積分した前記フォーカスエラー信号に対応する少なくとも信号を監視するように設計されていることを特徴とする媒体アクセス装置。
【請求項１３】
請求項２に記載の媒体アクセス装置であって、
複数層光ディスク、特にＤＶＤディスクまたはＢＤディスクを取り扱うことができる媒体アクセス装置。
【発明の詳細な説明】
【技術分野】
【０００１】
本発明は、一般的に、複数層の光ディスクに情報を書き込む方法と装置に関する。
【背景技術】
【０００２】
周知のように、光記憶ディスクは少なくとも１つの記憶空間のトラックを有し、そのトラックは連続的ならせん状または複数の同心円状であり、情報はデータパターンの形態でこのトラックに格納される。光ディスクは非常に成功しており、異なるタイプが開発されている。１つのタイプとしてＤＶＤ（デジタルバーサタイルディスク）があり、本発明は特にＤＶＤディスクに関する。しかし、本発明の要点は他のタイプの光媒体にも適用可能である。
【０００３】
光ディスクは読み出し専用タイプでもよい。この場合、光ディスクには製造工程で記録された情報が含まれており、ユーザが読み出すことができる。光記憶ディスクは書き込み可能型でもよく、この場合、ユーザが情報を記録する。このようなディスクはライトワンスタイプであってもよく、記録可能（Ｒ）であると表示される。また、情報を何回も書き込むことができる記憶ディスクもあり、再書き込み可能（ＲＷ）と表示される。ＤＶＤの場合、ＤＶＤ−ＲＷ、ＤＶＤ＋ＲＷ、及びＤＶＤ−ＲＡＭとして知られた３つの再書き込み可能フォーマットと、ＤＶＤ−Ｒ及びＤＶＤ＋Ｒとして知られた２つの記録可能フォーマットが区別されている。
【０００４】
光記憶ディスクの記憶空間に情報を書き込むために、ディスクドライブ装置は、光ビーム（レーザビーム）を発生する光ビーム発生器（一般的にはレーザである）と、その光ビームを記憶トラックの焦点スポットにフォーカスする光学要素と、を有する。ディスクドライブ装置はディスクを回転するモータを有し、光学要素を制御するサーボシステム、特にラジアルサーボシステムとフォーカスサーボシステムを有する。その制御は、フォーカスしたスポットが回転しているディスクのトラックをたどり（ラジアルサーボ）、レーザスポットが正しい焦点深度に留まる（フォーカスサーボまたは軸方向サーボ）ように行われる。一般的な光ディスクの技術と、光ディスクに情報を記憶する方法とは周知なので、ここでこの技術をより詳細に説明する必要はない。
【０００５】
従来、光ディスクには１つ以上のデータトラックを含む記憶層が１つしかなかった。最近になって、相互に数マイクロメートルしか離れていない２つかそれ以上の記憶層を有する光ディスクが開発された。各記憶層には対応する記憶トラックが含まれている。このような複数層光ディスクでは、特に記録可能または再書き込み可能光媒体の場合には、フォーカス状態を正しく保つことが単層ディスクの場合よりも重要となる。フォーカス状態が最適でないと、近傍層において意図せずに既存の情報が破壊されてしまうおそれが生じる。
【０００６】
よって、本発明の１つの重要な目的は、複数層光ディスクに書き込みをするディスクドライブ装置であって、フォーカスエラーによる損害のリスクがない、または少なくとも減少するディスクドライブ装置を提供することである。
（発明の開示）
本発明の重要な態様によると、複数層の光ディスクへの書き込みをするディスクドライブ装置は、フォーカス条件を監視する手段と、近傍層を損なうおそれのあるフォーカスのはずれを検出すると記録プロセスを抑制する手段と、を有する。このように、フォーカスがはずれた状態を防止はできないが、害になるおそれがあるその状態による効果は効果的に取り除く。
【０００７】
本発明の上記その他の態様、特徴、利点を、図面を参照して以下にさらに説明する。同じ参照数字は同一または類似の部分を示す。
（発明の詳細な説明）
【０００８】
図１は、典型的にはＤＶＤまたはＣＤである光ディスク２に情報を記録するのに好適な、光ディスクドライブ装置１を示す。ディスクドライブ装置１は、ディスク２を回転するため、フレーム（簡単のため図示せず）に固定されたモータ４を有する。これにより回転軸５が決まる。
【０００９】
この例では、ディスク２は、その厚さは誇張して示したが、２つの記憶層２Ａと２Ｂを有する。しかし、本発明は３つ以上の層を有するディスクにも関係している。「複数層」という用語を用いて２つ以上の層を示す。
【００１０】
ディスクドライブ装置１は、さらに、光ビームによりディスク２のトラック（図示せず）をスキャンする光学系３０を有する。より具体的に、図１に示した構成例において、光学システム３０は、光ビーム３２を生成するように構成された（一般的にはレーザダイオード等のレーザである）光ビーム生成手段３１を有する。以下の説明では、光ビーム３２の異なるセクションは、光学経路３９を通り、参照数字３２に文字ａ、ｂ、ｃ等をつけて示す。
【００１１】
光ビーム３２は、ビームスプリッタ３３、コリメータレンズ３７、及び対物レンズ３４を通って、ディスク２に到達する（ビーム３２ｂ）。光ビーム３２ｂは、ディスク２により反射され（反射光ビーム３２ｃ）、対物レンズ３４、コリメータレンズ３７、及びビームスプリッタを通って（ビーム３２ｄ）、光検出器３５に到達する。対物レンズ３４は、光ビーム３２ｂを、１つの記憶層（すなわち、図１の第１の記憶層２Ａ）のトラック上の焦点スポットＦに収束するように設計されている。
【００１２】
ディスクドライブ装置１は、さらに、アクチュエータシステム５０を有する。このアクチュエータシステム５０は、ディスク２に対して対物レンズ３４をラジアル方向に変位するラジアルアクチュエータ５１を有する。ラジアルアクチュエータ自体は知られており、本発明はラジアルアクチュエータの設計や機能には関係しないので、ここで、ラジアルアクチュエータの設計と機能について詳しく説明する必要はない。
【００１３】
対物レンズ３４のチルト位置を正しくし、それを維持するため、対物レンズ３４は斜めに取り付けられていてもよい。その場合、図示したように、アクチュエータシステム５０はディスク２に対して対物レンズ３４のピッチを調整する（pitching）ように構成されたチルトアクチュエータ５３も有する。チルトアクチュエータ自体は知られており、一方、このようなチルトアクチュエータの設計と動作は本発明の主題ではないので、チルトアクチュエータの設計と動作について詳しく説明する必要はない。
【００１４】
さらに、装置フレームに対して対物レンズをサポートする手段と、対物レンズを軸方向及びラジアル方向に変位する手段は、対物レンズのピッチを調整する手段と同様に、それ自体一般的に知られている。サポート手段と変位手段の設計と動作は本発明の主題ではないので、ここでは詳しく説明する必要はない。
【００１５】
ラジアルアクチュエータ５１、フォーカスアクチュエータ５２、及びチルトアクチュエータ５３は、１つの集積されたアクチュエータとして実施してもよい。
【００１６】
ディスクドライブ装置１はさらに制御回路９０を有する。該制御回路９０は、モータ４の制御入力に接続された第１の出力９２と、ラジアルアクチュエータ５１の制御入力に接続された第２の出力９３と、フォーカスアクチュエータ５２の制御入力に結合された第３の出力９４と、チルトアクチュエータ５３の制御入力に結合された第４の出力９５と、レーザ装置３１の制御入力に結合された第５の出力９６と、を有する。制御回路９０は、第１の出力９２においてモータ４０を制御する制御信号ＳＣＭを発生し、第２の出力９３においてラジアルアクチュエータ５１を制御する制御信号ＳＣＲを発生し、第３の出力９４においてフォーカスアクチュエータ５２を制御する制御信号ＳＣＦを発生し、第４の出力９５においてチルトアクチュエータ５３を制御する制御信号ＳＣＴを発生し、第５の出力９６においてレーザを制御する制御信号ＳＷを発生するように設計されている。
【００１７】
制御回路９０は、光検出器３５から読み出し信号ＳＲを受ける読み出し信号入力９１をさらに有する。光検出器３５は、実際にはいくつかの個別の検出要素（検出要素それ自体は知られている）を有していてもよい。読み出し信号ＳＲは、実際にはいくつかの個別の検出要素の出力信号により構成されていてもよい（この出力信号もそれ自体知られている）。さらに、読み出し信号入力９１は、実際にはいくつかの個別の入力信号端子であってそれぞれが検出要素の出力信号の対応するものを受ける端子（こうした入力信号端子はそれ自体知られている）を有していてもよい。
【００１８】
制御回路９０は、個々の検出要素の出力信号を処理して、１つ以上のエラー信号を求める。ラジアルエラー信号は、以下簡単にＲＥで示すが、トラックと焦点スポットＦの間の半径方向の距離を示す。フォーカスエラー信号は、以下簡単にＦＥで示すが、記憶層と焦点不ポットＦの間の軸方向の距離を示す。光検出器の設計に応じて、エラー信号の計算に使う式は異なっていてもよい。
【００１９】
制御回路９０は、エラー信号の関数としてアクチュエータ制御信号を発生し、対応するエラーを減らすように設計されている。これは当業者には明らかであろう。
【００２０】
制御回路９０は、レーザ制御出力９６とデータ入力９７をさらに有する。読み出しモードでは、レーザビーム３２の強さはほぼ一定に保たれ、読み出し信号入力９１において受ける個々の検出要素の出力信号の強さは、読み出すトラックのデータコンテントを反映して変化する。書き込みモードでは、制御回路９０は、そのデータ入力９７において受けるデータ信号Ｓデータに基づいてレーザ３１の制御信号ＳＷを発生し、レーザビームの強さは入力データに対応するパターンを書き込むように変化する。再書き込み可能ディスクを消去するためには、別の強さレベルも用いる。消去は既存のデータに上書きしながら行ってもよいし、ディスクを消去する別個のプロセスとして行ってもよい。
【００２１】
図２は、制御回路９０の一部をより詳細に示すブロック図である。制御回路９０は信号前処理回路６１を有する。この回路は読み出し信号入力９１から読み出し信号ＳＲを受け取る。サーボプロセッサ６２は、信号前処理回路６１からの出力信号を受け取り、出力９３、９４、９５それぞれにおいてアクチュエータ制御信号ＳＣＲ、ＳＣＦ、ＳＣＴを発生する。
【００２２】
制御回路９０はレーザドライバ回路６３をさらに有する。この回路は、データ入力９７からデータ信号Ｓデータを受け取り、レーザ制御出力９６においてレーザ制御信号ＳＷを発生する。
【００２３】
制御回路９０は書き込み抑制回路６４をさらに有する。この回路は、レーザドライバ回路６３の制御入力６３ａに結合された抑制出力６４ａを有する。書き込み抑制回路６４は、入力信号に基づきレーザドライバ回路６３の制御信号Ｓ抑制を発生する。
【００２４】
書き込み抑制回路６４の動作プロセス７０を図３のフロー図を参照して説明する。記録を開始すると（ステップ７１）、書き込み抑制回路６４はその１つ以上の入力６４ｂ、６４ｃ、６４ｄにおいて受ける１つ以上の入力信号を監視し（ステップ７２）、１つ以上の監視した信号が軸方向にフォーカスがずれるイベントの発生を示しているかを調べる（ステップ７３）。「軸方向にフォーカスがずれるイベント」とは、近傍層のインテグリティ（integrity）を損なう危険性がある距離より大きい、目標記憶層の位置に対するフォーカススポットＦの軸方向のずれを意味する。
【００２５】
この調べるステップには、軸方向のずれの大きさを計算し、このずれを閾値距離と比較するステップを含んでいてもよい。記憶層間の距離に応じて閾値距離は異なっていてもよい。
【００２６】
調べるステップは、レーザビームが間違った記憶層にフォーカスされているかどうかを検出するステップも含んでいてもよい。この検出は、例えば入力信号の特徴を検出することにより、例えば正しい記憶層から他の記憶層への移動（transition）を検出することにより行ってもよい。この実施形態の有利な点は、フォーカスのずれた距離を計算する必要がなく、閾値距離を決める必要がないことである。しかし、前の実施形態と比較してフォーカススポットが近傍層に実際に行ってからでないと検出結果が得られないという不利な点もある。フォーカスのずれた距離を計算し、それを閾値距離と比較する場合、有利な点は近傍層が実際に損なわれる前に対応動作を取れる点である。
【００２７】
上記の入力信号が、フォーカスがずれるイベントが起こっていないことを示している限り、すなわち、フォーカススポットＦの位置が正しい層２Ａ、２Ｂにあるとき、書き込み抑制回路６４はレーザドライバ回路６３に通常通りの動作をさせて、データをディスクに通常通り書き込む。書き込み抑制回路６４の動作はステップ７２に進む。
【００２８】
フォーカスがずれるイベントの発生を検出した場合、書き込み抑制回路６４は、レーザドライバ回路６３の制御信号Ｓ抑制を発生し、レーザドライバ回路６３を抑制する（ステップ７４）。記録プロセスは停止される。
【００２９】
この状態では、エラーメッセージをユーザに提示して、ユーザが対応動作をとってからのみ記録プロセスを再開する。しかし、一般的には、光ディスクシステムの動作を制御しているマイクロプロセッサまたはマイクロコントローラだけにエラーメッセージを提示する。エラーメッセージを受けると、マイクロプロセッサまたはマイクロコントローラは回路９０に命令して、レーザビームを正しい層に再度フォーカスさせて、中断されたところから書き込みプロセスを再開する。そして、書き込み抑制回路６４の動作はステップ７１に進む。
【００３０】
安全対策として、レーザドライバ回路６３はレーザビームを完全にスイッチオフして制御信号Ｓ抑制に応答することも可能である。しかし、レーザドライバ回路６３がレーザビームのレーザパワーを十分低いレベル（例えば所定の安全レベル）に落とすことにより応答して、記録プロセスが停止されすでに書き込まれているデータが損なわれることを効果的に防止すれば十分である。そして、低下させたレーザパワーを用いて再度フォーカスする動作を実行できる。
【００３１】
レーザドライバ回路６３がレーザビームを完全にスイッチオフすることにより制御信号Ｓ抑制に応答した場合、再度フォーカスする動作の実行には前記マイクロプロセッサまたはマイクロコントローラがレーザドライバ回路６３に命令を送り、低下させたパワーでレーザビームをスイッチオンすることが必要である。このように、抑制信号によるスイッチオフ命令を効果的に無効にする。
【００３２】
いずれにしても、本発明はずれイベントを検出し、それに応じて安全対策として記録プロセスを停止することに関する。この時点以降に取られる動作は本発明の主題ではない。
【００３３】
書き込み抑制回路６４の入力信号に関して、本発明の実施方法はいろいろある。
【００３４】
一実施形態では、ディスクドライブ１は、好適な位置に取り付けた振動センサまたは加速度センサ８１を有する。振動／加速度センサはそれ自体知られているので、ここでその構成と動作を詳細に説明する必要はない。このような場合、制御回路９０は振動／加速度センサ８１からの出力信号を受け取る入力９８を有する。この入力は書き込み抑制回路６４の入力６４ｄに結合されている。振動／加速度センサ８１からの出力信号が、フォーカスがはれるイベントが起こりうる強さのショックがあったことを示す。
【００３５】
他の実施形態では、書き込み抑制回路６４は、入力９１において受けた光読み取り信号ＳＲから求めた入力信号を受け取ることもできる。例えば、書き込み抑制回路６４は、前処理回路６１の第１の出力６１ａに結合した入力６４ｃを有し、センサ３５のフォワードセンスダイオード（簡単のため図示せず）から取得した反射中央開口信号に対応する信号ＳＣＡを前処理回路６１から受け取る。
【００３６】
他の実施例では、書き込み抑制回路６４は、サーボプロセッサ６２の第１の出力６２ａに結合した入力６４ｂを有し、フォーカスエラー信号ＦＥに対応する信号ＳＦＥをサーボプロセッサ６２から受け取る。
【００３７】
他の実施例では、書き込み抑制回路６４は、所定の時定数で積分されたフォーカスエラー信号ＦＥに対応する信号ＳＦＥＩをこの入力６４ｂにおいて受け取る。
【００３８】
書き込み抑制回路６４は、上記の信号のいずれを受け取っても、その他の好適な信号を受け取ってもよい。しかし、書き込み抑制回路６４がこのような信号を２つ以上受け取って、これらの入力信号を互いの相関を調べて、監視された２つ以上の信号が相関してフォーカスがずれるイベントの発生を示した場合に、フォーカスがずれるイベントが発生した（または発生している）ものと決定してもよい。
【００３９】
図４Ａと４Ｂは、１つの記憶層から近傍層に焦点スポットが移った場合に、制御回路９０の内部信号の一部の振る舞いを示すグラフである。図４Ａは、レーザからさらに遠くに位置する層への移動の場合（図１において焦点スポットＦの上向きのずれに対応する）であり、図４Ｂは反対の場合である。この２つのグラフを比較すると、対応する曲線は類似した形状を有するが、極性は反転している場合もあることが分かる。それゆえ、以下においては、図４Ａだけについて詳細に説明する。
【００４０】
曲線１０１は、規格化されたフォーカスエラー信号ＦＥＮの振る舞いを示し、スポットがフォーカスしていた最内層から外側層に移動した場合である。この場合、ＦＥＮ信号は最初にバンプを示す。このバンプはフォーカスが外れて、焦点が内側の情報層から移動したことを示す。その結果、ＦＥＮ信号は振幅が小さくなり、ゼロ基準レベルを横切る。その後、再び大きくなり、前記のゼロレベル近辺で安定する。この振る舞いは、通常、Ｓカーブと呼ばれ、情報層に正しく焦点が得られたことを示す。Ｓカーブはフォーカスするために制御している間にだけ見られ、この場合には、焦点は外側の情報層に近づき、閉ループ制御によりそこに留まる。何らかの原因でフォーカスが失われ、制御システムが介在しない（開ループ制御）場合、ＦＥＮ信号は上記のバルクの後、フラットであり続ける。
【００４１】
カーブ１０２は、ループレギュレータ内の集積（積分）エラーの振る舞いを示す。カーブ１０３は、ゼロに近いある範囲内にあるフォーカスエラーの２値状態の振る舞いを示す。カーブ１０４は、アクチュエータコイルに印加された制御電圧の振る舞いを示す。図４Ａに描いた信号は、光ディスクドライブ中の典型的なフォーカスループのものであり、時間軸は１メモリ当たり１５０−２００マイクロ秒である。
【００４２】
何らかの原因でフォーカスが失われた場合、いくつかの信号を用いてこの状況を検出する。図４Ａに示した一般的な例では、規格化されたフォーカスエラー１０１、ループ積分器内の集積エラー１０２、またはフォーカスコイルの電圧１０４は突然変化し、その辺かを用いてフォーカスはずれを検出することができる。他の信号で使用できるものは、ラジアルトラッキングループや読み出しチャンネルから得られる。
【００４３】
本分野の当業者には言うまでもなく、本発明は上記の実施形態例に限定されておらず、添付した請求項に記載した本発明の保護範囲内で、変形や修正が可能である。
【００４４】
例えば、可能なこととして、書き込み抑制回路６４は、その入力信号の１つだけが軸方向にフォーカスがずれるイベントの発生を示している場合、書き込みプロセスを抑制する。また、可能なこととして、書き込み抑制回路６４は、その入力信号の２つが軸方向にフォーカスがずれるイベントの発生を時間的に相関して示している場合にのみ、書き込みプロセスを抑制する。
【００４５】
軸方向にフォーカスがずれるイベントが実際に起きていることを検出するのとは別に、軸方向にフォーカスがずれるイベントが起こりそうであることを予測して、事前に書き込みプロセスを抑制することも可能である。例えば、焦点のずれの時間発展（１次以上の時間微分）を測定し評価して、外挿によりこのずれの値を予測することが可能である。焦点のずれるスピード（または監視信号の時間微分）が所定のスピードレベルより大きくなった場合に、軸方向にフォーカスがずれるイベントが近い将来起こりそうであると決定することも可能である。
【００４６】
このように、本発明が提案する方法が示唆するものは、所定閾値を越える信号振幅（１つだけでも２つ以上を動じであっても）の検出だけでなく、監視信号が時間的に変化するスピードを評価することにより、焦点が失われる加速度の測定でもある。
【００４７】
上記において、本発明を２つの記憶層を有するディスクの場合に対して説明した。しかし、本発明の要点は複数層の場合にも適用可能である。
【００４８】
上記において、本発明による装置の機能ブロックを示すブロック図を参照して本発明を説明した。言うまでもなく、これらの機能ブロックのうち１つ以上をハードウェアで実施し、機能ブロックの機能を個別のハードウェア構成要素により実行してもよい。しかし、これらの機能ブロックのうち１つ以上をソフトウェアで実施して、コンピュータプログラムの１つ以上のプログラムラインまたはマイクロプロセッサ、マイクロコントローラ、デジタル信号プロセッサ等のプログラム可能デバイスにより上記機能ブロックの機能が実行されるようにすることもできる。
【図面の簡単な説明】
【００４９】
【図１】光ディスクドライブ装置の構成要素を示す概略図である。
【図２】制御回路９０の一部をより詳細に示すブロック図である。
【図３】書き込み抑制回路の動作を示すフロー図である。
【図４Ａ】フォーカスがずれるイベントを示す信号例のグラフである。
【図４Ｂ】フォーカスがずれるイベントを示す信号例のグラフである。
【図１】
2007531198.tif 000003
【図２】
2007531198.tif 000004
【図３】
2007531198.tif 000005
【図４Ａ】
2007531198.tif 000006
【図４Ｂ】
2007531198.tif 000007
【国際調査報告】
2007531198.tif 000008
2007531198.tif 000009